(57)【特許請求の範囲】
【請求項１】
周回ラグからなる引起装置（１８）を横並びに刈取条数分配置し、該引起装置（１８）のそれぞれの上端を支持する上部横断フレーム（１３）を設け、該上部横断フレーム（１３）を上辺とする正面視で矩形状の刈取フレーム（７）を構成し、前記刈取フレーム（７）の下辺となる下部横断フレーム（１０）の中間部から後方に延びるセンターフレーム（６）を設け、該センターフレーム（６）の後端部を機体フレーム側の刈取回動支軸（８）により昇降動作可能に軸支し、上記刈取回動支軸（８）と上部横断フレーム（１３）との間に両者を連結する上部連結部材（９）を設け、この上部連結部材（９）および上部横断フレーム（１３）の内部に刈取回動支軸（８）から動力を受けて引起装置（１８）を駆動する伝動軸（９ｄ、１３ｄ）を設け、
前記上部連結部材（９）には、伝動軸（９ｄ、１３ｄ）によって伝動される駆動速度を変速する変速部（９ａ）を備え、この変速部（９ａ）を刈取回動支軸（８）の上方で操縦部（４）の高さ位置に配置すると共に、変速部（９ａ）を変速操作するための変速操作部（９ｂ）を、刈取穀稈を搬送する搬送装置（２５）と操縦部（４）の操作パネル（４ａ）との間に配置して設けたことを特徴とするコンバインの刈取装置。
【発明の詳細な説明】
【技術分野】
【０００１】
本発明は、引起装置を備えて機体前部で昇降可能に支持されるコンバインの刈取装置に関するものである。
【背景技術】
【０００２】
特許文献１に記載のように、機体の前端部に配置された刈取装置には、穀稈を条別に区分けする分草体、区分けされた穀稈を引き起こす引起装置、引き起こされた穀稈を刈刃に案内する掻込装置を始めとする刈取機器および刈取穀稈を後送する搬送装置を矩形状の刈取フレームに支持することにより多数条の並行刈取りができるように構成され、その刈取フレームの下辺を構成する下部横断フレームにはその中間位置からセンターフレームを後方に延出し、その後端部を機体フレームの前端部に設けた刈取回動支軸に軸支することによって刈取装置全体が昇降可能に支持される。また、刈取装置を構成する各機器は、センターフレームの内部に構成されて刈取回動支軸から動力を受けるセンターフレーム伝動軸から各フレームの内部に構成した伝動軸を介して駆動される。
【特許文献１】特開平５−４１９２１号公報
【発明の開示】
【発明が解決しようとする課題】
【０００３】
しかしながら、刈取フレームに支持された引起装置については、植栽株の引き起こしをするために、刈取装置の前面位置において刈取条別に植栽株の両側に立ち上がる周回ラグを横並びに刈取条数分配置し、それぞれの上端を刈取フレームの上辺を構成する上部横断フレームに支持して構成されることから、それぞれの駆動側プーリを駆動するために、センターフレームと連結する下部横断フレームと、その側端から立ち上がるサイドフレームと、その上端に連結する上部横断フレームに至る複雑な伝動系が必要となるので、刈取装置の製造コスト、振動騒音、メンテナンス等の多くの点で問題となっていた。
【０００４】
本発明の目的は、引起装置の伝動系の簡易化によって低コスト、低振動かつ低騒音、メンテナンスの容易化を可能とするコンバインの刈取装置を提供することにある。
【課題を解決するための手段】
【０００５】
請求項１に係る発明は、周回ラグからなる引起装置を横並びに刈取条数分配置し、該引起装置のそれぞれの上端を支持する上部横断フレームを設け、該上部横断フレームを上辺とする正面視で矩形状の刈取フレームを構成し、前記刈取フレームの下辺となる下部横断フレームの中間部から後方に延びるセンターフレームを設け、該センターフレームの後端部を機体フレーム側の刈取回動支軸により昇降動作可能に軸支し、上記刈取回動支軸と上部横断フレームとの間に両者を連結する上部連結部材を設け、この上部連結部材および上部横断フレームの内部に刈取回動支軸から動力を受けて引起装置を駆動する伝動軸を設け、上記上部連結部材には、伝動軸によって伝動される駆動速度を変速する変速部を備え、この変速部を刈取回動支軸の上方で操縦部の高さ位置に配置すると共に、変速部を変速操作するための変速操作部を、刈取穀稈を搬送する搬送装置と操縦部の操作パネルとの間に配置して設けたことを特徴とする。
【０００６】
上記刈取装置の引起装置を含む刈取機器、搬送装置は、刈取フレームの上下に連結する上部連結部材とセンターフレームとによって昇降動作可能に支持され、その上部連結部材と上部横断フレームとに内設した引起伝動系によって引起装置が駆動される。したがって、上記刈取装置は、上部連結部材による刈取機器の支持剛性の向上、左右バランスの安定化および伝動系の簡易化が可能となり、製造コストの低減、耐久性の向上、運転の低振動かつ低騒音化、メンテナンスの容易化が可能となる。また、上記刈取装置は、引起伝動系の変速部を刈取回動支軸の上方で操縦部の高さ位置に配置することにより、変速部が操縦部の近傍に構成される。引起伝動系の変速部の操作部を搬送装置より操縦部の側に配置することにより、穀稈搬送経路を確保した上で、操縦部の近傍に構成される。
【発明の効果】
【０００７】
請求項１記載の発明によると、上部連結部材とセンターフレームとによって刈取フレームがその上辺と下辺の中間部で支持されることから、上記刈取装置は、機器の支持剛性が向上されるとともに左右バランスが安定化され、また、上部連結部材と上部横断フレームに内設した簡易な伝動系によって引起装置が駆動されることから、製造コストの低減、耐久性の向上、運転の低振動かつ低騒音化、メンテナンスの容易化が可能となる。
また、引起伝動系の変速部を操縦部の近傍に配置したことから、機体から降りることなく、操縦部において引起し速度を調節操作することができるので、能率良く刈取走行することができる。
搬送装置と操作パネルの間に変速操作部を配置したことから、運転操作と並行して引起し速度を調節操作することができるので、穀稈の垂れ具合に応じて引起し調節が可能となる。
【発明を実施するための最良の形態】
【０００８】
上記技術思想に基づいて具体的に構成された実施の形態について以下に図面を参照しつつ説明する。
図１は、本発明の適用対象となるコンバインの一例を示す機体前部の側面図である。
このコンバインは、クローラによる走行装置２によって支持した機体フレーム１の前方に刈取装置５を昇降可能に備えて機体フレーム１の前端部に位置する刈取回動支軸８に軸支し、この刈取回動支軸８の後方に脱穀部３、貯留タンク部（不図示）が配置され、刈取回動支軸８の側方に操縦部４、原動部５６が上下に配置される。
【０００９】
刈取装置５は、車幅方向に延びる２つの横断フレーム１３、１０を上下に配置し、それぞれの両端を左右のサイドフレーム１１、１２で連結した刈取フレーム７を構成してこの刈取フレーム７に搬送を含む種々の刈取用の機器を支持するとともに、下部横断フレーム１０から後方に延びるセンターフレーム６と、上部横断フレーム１３から後方に延びる上部連結部材９とを設け、これらセンターフレーム６および上部連結部材９の後端部を刈取回動支軸に軸支することにより、刈取装置５を昇降動作可能に構成する。
【００１０】
下部横断フレーム１０には刈刃装置２１を取付けるとともに複数の前後方向の分草杆１６の基部を左右に所定の間隔を置いて固定し、この分草杆１６の先端に取付けた分草体１７の後方には、刈取条別に植栽株の両側に立ち上がる周回ラグによって構成した引起装置１８を刈取条別に設け、この各引起装置１８の後方下部にはラグ式掻込装置１９を設ける。また、引起装置１８の上端は、上部横断フレーム１３から下垂フレーム２７…を下垂し、この下垂フレーム２７…により刈取条数分を横並びに配置して支持する。
【００１１】
引起装置１８の駆動については、刈取装置５の伝動系統の構成斜視図を図２に示すように、上部連結部材９、上部横断フレーム１３、下垂フレーム２７…をパイプ材によってその内部に伝動軸９ｄ、１３ｄ、２７ｄを設けて引起装置１８を駆動する引起伝動軸１８ｄ…に連結する伝動系を構成する。上部連結部材９には、伝動比をギヤまたはベルトによって変更する変速部９ａを構成し、この変速部９ａを操縦部４の操作パネル４ａの近傍に配置する。例えば、刈取穀稈を後送する穂先搬送用の穂先案内ケース２５ａの側方で操作パネル４ａとの間に操作レバー９ｂを配置して構成する。
【００１２】
また、掻込装置１９の駆動については、センターフレーム６、下部横断フレーム１０、左右のサイドフレーム１１、１２をパイプ材によってその内部に伝動軸６ｄ、１０ｄ、１１ｄ、１２ｄを設けて掻込装置１９を駆動する掻込伝動軸１９ｄ…に連結する伝動系を構成する。
【００１３】
上記構成の刈取装置５は、上記刈取装置の引起装置、刈刃装置、搬送装置は、刈取フレームを介してその上下を上部連結部材とセンターフレームとによって昇降動作可能に支持され、その上部連結部材による引起伝動系によって引起装置が駆動される。したがって、上記刈取装置は、簡易な上部連結部材による各装置の支持剛性の向上と簡易な引起伝動系とにより、低コスト、低振動かつ低騒音、メンテナンスの容易化が可能となる。
【００１４】
また、上部連結部材９の伝動軸９ｄには、変速伝動系統展開図を図３に示すように、カウンタギヤ軸９ｃによる２速切替え変速ギヤ機構やベルト無段変速機構等により伝動比を変更調節する変速部９ａを備え、この変速部９ａを刈取回動支軸８の上方で操縦部４の操作パネル４ａの高さ位置に配置することにより、操縦部４から変速部９ａを操作することができる。また、上部連結部材９の変速部９ａは、その操作レバー９ｂを搬送装置２５の穂先案内ケース２５ａと操縦部４の操作パネル４ａとの間に配置することにより、搬送装置２５の信頼性を確保しつつ、操縦部４からの変速操作性を確保することができる。
【００１５】
また、引起装置１８…は、そのオープン状態の斜視図を図４に示すように、上部横断フレーム１３と引起装置１８…の連結部１３ａ、１３ａを支持側である左右のサイドフレーム１１、１２および上部連結部材９から分離して回動可能とし、全引起装置１８…を非作業位置に傾動操作可能に構成することにより、機器のメンテナンスを始め、引起装置１８…に穀稈が詰まった場合においても容易に排除することができるので、コンバインの稼動計画を乱すことなく、収穫作業を進めることができる。
【００１６】
（ナローガイド）
次に、刈取装置の側部に設けたナローガイドについて説明する。
図５、図６は、それぞれ、ナローガイドの張出時の平面図とその要部部拡大図である。
ナローガイド３１は、刈取装置５の未刈（左）側に沿うように前後に長く延びる棒状部材であり、その先端部３１ａを側方回動可能に軸支するとともに、その後方位置に刈取装置の引起パイプに軸支した回動アーム３２と連結リンク３３とによる張出機構を備えて構成される。
【００１７】
回動アーム３２は、その基部側の回動軸３２ａを刈取装置５の引起パイプ１８ｐの近傍に軸支するとともに、回動軸３２ａと一体に形成したアーム３２ｂ、３２ｂに張出と収納の操作用のケーブル３４ａ、３４ｂを連結して回動可能に構成し、先端部には支軸３２ｃに連結リンク３３を軸支するほかに、回動アーム３２と連結リンク３３との間でいずれか一方に相手側を挟み込むようにして捕捉するためのキャッチャー３５と、相互の回動位置を摩擦拘束するとともに連結リンク３３が支点越えする張出位置で所定の固着力で回動範囲を規制するストッパ３６とを備える。図示のキャッチャー３５およびストッパ３６は一体に回動アーム３２に設けた例である。
【００１８】
上記構成によるナローガイド３１は、張出と収納のケーブル３４ａ、３４ｂを操作することによって回動アーム３２が回動され、刈取走行の際は張出用のケーブル３４ａを引くと連結リンク３３を介してナローガイド３１が刈取装置５の側方に押し出され、連結リンク３３が支点越えする張出位置でストッパ３６が回動規制するとともに摩擦拘束によって振動と騒音を抑えることができる。この状態で前方Ｆに走行することにより、未刈り穀稈を刈取装置５の外側方に案内することができる。また、ストッパ３６の固着力を越える過大な外力を受けた場合は、その破損によってナローガイド３１が収納側に後退することにより、ナローガイド３１の変形を回避することができる。
【００１９】
また、ナローガイド３１を収納する際は、収納用のケーブル３４ｂを引くことにより、ナローガイド３１が刈取装置５に沿う収納位置で連結リンク３３がキャッチャー３５によって捕捉される。したがって、移動走行の際の振動等によるナローガイド３１の張出しを防止することができる。
【００２０】
このように、上記構成のナローガイド３１は、振動と騒音を抑えつつ確実動作と安全性を確保することができるとともに、張出と収納の操作が、機体から降りることなく、操縦部等からのケーブル３４ａ、３４ｂの操作によって可能となるので作業性の向上を図ることができる。
【００２１】
また、別の構成例の張出時（ａ）と収納時（ｂ）の要部拡大平面図を図７に示すように、一方側のキャッチャー３５ａに対して他方側に被拘束用の小径丸棒状のアーム３３ａを設けることにより、簡易な小型のキャッチャー３５ａによって収納位置における確実な拘束保持が可能となる。
【図面の簡単な説明】
【００２２】
【図１】コンバインの要部側面図
【図２】刈取部の伝動系の透視斜視図
【図３】変速伝動系統展開図
【図４】引起装置のオープン状態の斜視図
【図５】ナローガイドの張出時の平面図
【図６】図５のナローガイドの要部部拡大図
【図７】別の構成例の張出時（ａ）と収納時（ｂ）の要部拡大平面図
【符号の説明】
【００２３】
４  操縦部
４ａ  操作パネル
５  刈取装置
６  センターフレーム
６ｄ  伝動軸
７  刈取フレーム
８  刈取回動支軸
９  上部連結部材
９ａ  変速部
９ｂ  操作レバー（変速操作部）
９ｄ  伝動軸
１０  下部横断フレーム
１０ｄ  伝動軸
１１  サイドフレーム
１１ｄ  伝動軸
１２  サイドフレーム
１３  上部横断フレーム
１３ｄ  伝動軸
１８  引起装置
１８ｄ  引起伝動軸
１９  掻込装置
２５  搬送装置
２５ａ  穂先案内ケース
２７  下垂フレーム
２７ｄ  伝動軸
【図１】
0005217555.tif 000002
【図２】
0005217555.tif 000003
【図３】
0005217555.tif 000004
【図４】
0005217555.tif 000005
【図５】
0005217555.tif 000006
【図６】
0005217555.tif 000007
【図７】
0005217555.tif 000008